(57)【特許請求の範囲】
【請求項１】
商品表示カードを保持する保持部材と、前記保持部材を支持する支持部材とを備えた商品表示具において、
前記保持部材は、板状のベース部の上端又はその近傍において商品表示カードを保持可能に構成された上側保持部と、前記ベース部の下端又はその近傍において商品表示カードを保持可能に構成された下側保持部とを備え、
前記支持部材は、水平方向に延び、かつ前記保持部材のベース部と平行な回転軸を中心に、前記保持部材を回動可能に支持するよう構成されており、
前記上側保持部において前記商品表示カードを保持する態様と、前記下側保持部において前記商品表示カードを保持する態様とを切り替えることにより、前記商品表示カードの表示高さを変更可能に構成されている
ことを特徴とする商品表示具。
【請求項２】
前記上側保持部は、前記ベース部の上端から表面側に折り曲がることによって形成され、該ベース部の表面との間に商品表示カードを挟持可能に構成され、
前記下側保持部は、前記ベース部の下端から表面側に折り曲がることによって形成され、該ベース部の表面との間に商品表示カードを挟持可能に構成されていることを特徴とする請求項１記載の商品表示具。
【請求項３】
前記保持部材及び支持部材のいずれか一方には、前記回転軸を中心軸とする円柱部が形成され、
他方には、前記円柱部の周面を挟持することによって、前記保持部材を前記支持部材に回動可能に支持させる一対の挟持片が形成されていることを特徴とする請求項１又は２記載の商品表示具。
【請求項４】
前記支持部材は、前記商品表示具を載置可能とする台座部と、前記台座部から垂直方向上方に延びて前記円柱部又は前記一対の挟持片を支持する支柱部とを備え、
前記支柱部の上端において前記保持部材を回動可能に支持するように構成されていることを特徴とする請求項３記載の商品表示具。
【請求項５】
前記台座部の底面には、それを設置対象物に貼着させる貼着手段が設けられていることを特徴とする請求項４記載の商品表示具。
【発明の詳細な説明】
【技術分野】
【０００１】
本発明は、商品表示カード等を保持して陳列台等に設置するようにした商品表示具に関するものである。
【背景技術】
【０００２】
従来、例えば商店等において値段や商品名等が記載された商品表示カードを表示する際に使用する商品表示具として、弾性線材をコイル形に巻回して挟持部を形成し、この挟持部のコイル形線材間に商品表示カード等を押込んで挟持するようにしたものが知られている（特許文献１）。しかしながら、この特許文献１の商品表示具では、商品表示カード等の表示する高さを変更することができないという問題がある。
【０００３】
また、特許文献１の商品表示具よりも比較的大きな商品表示カード等を表示するために用いられ、商品表示カード等の高さ変更を可能とした商品表示具として、商品表示カード等を挟着する一対の挟着板を備えたカードホルダー本体と、このカードホルダー本体を支持する支持具とからなり、この支持具が、テーブルや床面等に設置された支持板と、この支持板に固定されたパイプ状の固定支柱と、この固定支柱に伸縮自在に取り付けられ、上端がカードホルダー本体に固着された可動支柱と、可動支柱を任意の位置に固定する固定具とを備えたものなどが知られている（特許文献２）。
【先行技術文献】
【特許文献】
【０００４】
【特許文献１】特開２００３−２５５８３４号公報
【特許文献２】実開平６−８９８１号公報
【発明の概要】
【発明が解決しようとする課題】
【０００５】
しかしながら、特許文献２の商品表示具では、商品表示カード等の高さを変更する際に、支持具の固定具を操作して可動支柱に対する固定状態を解除した後、商品表示カード等が所望の高さ位置になるように、使用者が一方の手で可動支柱を保持し、他方の手で支持具の固定具を再度操作して可動支柱を固定する必要があるため、商品表示カード等の高さ変更をする際の手間がかかるという問題がある。また、特許文献２の商品表示具では、商品表示カード等の高さ変更を可能とするために、パイプ状の固定支柱と、この固定支柱に伸縮自在に取り付けられた可動支柱と、可動支柱を任意の位置に固定する固定具とを備える必要があるため、商品表示具が大型となり、また、構成部品が多いため、製造コストがかかるという問題がある。
【０００６】
そこで、本発明は、簡単な操作で商品表示カード等の高さ変更を行なうことができると共に、小型化及び低コスト化が可能な商品表示具を提供することを目的とする。
【課題を解決するための手段】
【０００７】
以上の目的を達成するため、本発明に係る商品表示具は、商品表示カードを保持する保持部材を備えた商品表示具において、前記保持部材は、板状のベース部の上端又はその近傍において商品表示カードを保持可能に構成された上側保持部と、前記ベース部の下端又はその近傍において商品表示カードを保持可能に構成された下側保持部とを備えていることを特徴とする。
【０００８】
このように、本発明に係る商品表示具は、上側保持部と、下側保持部とを備えることにより、上側保持部に商品表示カードを保持させて表示するか、下側保持部に商品表示カードを保持させて表示するかを選択するという簡単な操作のみで、商品表示カードの高さ位置を変更することができ、また、高さ変更のための他の部品が不要であるので、小型化及び低コスト化を図ることができる。
【０００９】
本発明に係る商品表示具において、前記上側保持部は、前記ベース部の上端から表面側に折り曲がることによって形成され、該ベース部の表面との間に商品表示カードを挟持可能に構成され、前記下側保持部は、前記ベース部の下端から表面側に折り曲がることによって形成され、該ベース部の表面との間に商品表示カードを挟持可能に構成されることが好ましい。
【００１０】
また、本発明に係る商品表示具において、前記保持部材を支持する支持部材をさらに備え、該支持部材は、水平方向に延び、かつ前記保持部材のベース部と平行な回転軸を中心に、前記保持部材を回動可能に支持するよう構成されることが好ましく、このように、保持部材を回動可能に支持する支持部材を備えることにより、保持部材により保持される商品表示カードの表示角度を購入者の視点に合致した最適な表示角度に適宜変更することができる。
【００１１】
また、本発明に係る商品表示具において、前記保持部材及び支持部材のいずれか一方には、前記回転軸を中心軸とする円柱部が形成され、他方には、前記円柱部の周面を挟持することによって、前記保持部材を前記支持部材に回動可能に支持させる一対の挟持片が形成されることが好ましく、この場合、前記円柱部の周面には、軸方向に延びる突起が周方向の所定の範囲に亘って形成され、前記一対の挟持片のそれぞれの先端には、前記円柱部の突起の間に挿着可能な突起が形成されるとしても良い。このように、保持部材及び支持部材のいずれか一方に形成された円柱部に突起が形成され、他方に形成された一対の挟持片のそれぞれの先端に円柱部の突起の間に挿着可能な突起が形成されることにより、多段階的な保持部材の回動を可能とし、一対の挟持片の突起が円柱部の突起の間に挿着している状態において、保持部材により保持される商品表示カードの表示角度を維持することができる。
【００１２】
さらに、本発明に係る商品表示具において、前記支持部材は、前記商品表示具を載置可能とする台座部と、前記台座部から垂直方向上方に延びて前記円柱部又は前記一対の挟持片を支持する支柱部とを備え、前記支柱部の上端において前記保持部材を回動可能に支持するように構成されていることが好ましく、このように、支持部材が台座部及び支柱部を備え、支柱部の上端において保持部材を回動可能に支持することにより、商品表示具を設置対象物に載置させた状態で、保持部材を回動させることができる。この場合、支柱部は、保持部材のベース部の上端から下端までの長さ以下、好ましくは３分の２程度、さらに好ましくは２分の１程度の長さに形成されることが好ましい。
【００１３】
またさらに、本発明に係る商品表示具において、前記台座部の底面には、それを設置対象物に貼着させる貼着手段が設けられることが好ましく、このように、支持部材の台座部に貼着手段が設けられることにより、商品表示具を設置対象物に固定させることができる。
【発明の効果】
【００１４】
以上のように、本発明によれば、簡単な操作で商品表示カード等の高さ変更を行なうことができると共に、小型化及び低コスト化が可能な商品表示具を提供することができる。
【図面の簡単な説明】
【００１５】
【図１】本発明の一実施形態に係る商品表示具を示す正面斜視図である。
【図２】図１の商品表示具を背面から見た状態示す背面図である。
【図３】図２のＡ−Ａ´線に沿った断面図である。
【図４】本実施形態に係る商品表示具の保持部材を回動させた状態を示す段階図である。
【図５】本実施形態に係る商品表示具の使用例を示す説明図である。
【図６】本発明の他の実施形態に係る商品表示具を示す斜視図である。
【図７】本発明の他の実施形態に係る商品表示具を示す斜視図である。
【発明を実施するための形態】
【００１６】
次に、本発明の一実施形態に係る商品表示具について、図面に基づいて説明する。この商品表示具１は、図１〜図３に示すように、表面側において商品表示カードを保持する保持部材１０と、保持部材１０をその裏面側で回動自在に支持する支持部材２０とを備えている。
【００１７】
保持部材１０は、例えばポリカーボネート樹脂などの所定の硬さを有し、かつ弾性変形可能な素材からなり、長方形の板状に形成されたベース部１２と、ベース部１２の上端１２ｃから表面１２ａ側に折り曲がることによって形成され、ベース部１２の表面１２ａとの間に商品表示カードを挟持可能に構成された上側保持部１４と、ベース部１２の下端１２ｄから表面１２ａ側に折り曲がることによって形成され、ベース部１２の表面１２ａとの間に商品表示カードを挟持可能に構成された下側保持部１６と、ベース部１２の裏面１２ｂの中心近傍に横方向に並べて２組形成され、支持部材２０の後述する円柱部２２の周面を挟持可能な一対の挟持片１８ａ、１８ｂとを備えている。
【００１８】
これら上側保持部１４及び下側保持部１６は、それぞれベース部１２の幅方向の全域に亘って形成されており、上側保持部１４は、ベース部１２の上端１２ｃからベース部１２の表面１２ａの３分の１程度の領域を覆うように形成され、下側保持部１６ベース部１２の下端１２ｄからベース部１２の表面１２ａの３分の１程度の領域を覆うように形成されている。また、上側保持部１４及び下側保持部１６のそれぞれの先端には、ベース部１２の表面１２ａ側に突出する突起１５、１７が形成されており、ベース部１２の表面１２ａには、上側保持部１４及び下側保持部１６の突起１５、１７とそれぞれ対応する溝１３、１３が形成されている。上側保持部１４及び下側保持部１６の突起１５、１７とベース部１２の溝１３、１３との間には、商品表示カードの厚みと同一かそれよりも狭い間隔が形成されており、この上側保持部１４及び下側保持部１６の突起１５、１７とベース部１２の溝１３、１３との間において、上側保持部１４と下側保持部１６の復元力により商品表示カードを挟み込んで保持するように構成されている。
一対の挟持片１８ａ、１８ｂのそれぞれの先端には、支持部材２０の後述する円柱部２２の突起２３、２３の間の谷部分にそれぞれ挿着可能な突起１９、１９が形成されている。この一対の挟持片１８ａ、１８ｂは、突起１９、１９が支持部材２０の後述する円柱部２２の突起２３、２３の間の谷部分にそれぞれ挿着した状態において、所定の一対の挟持片１８ａ、１８ｂの弾性挟持力により支持部材２０の後述する円柱部２２を挟持するように構成されている。
【００１９】
支持部材２０は、例えばポリカーボネート樹脂や金属などの素材からなり、水平方向に延び、かつ保持部材１０のベース部１２と平行な回転軸Ｘを中心軸とする円柱状に形成された円柱部２２と、長方形の板状に形成され、商品表示具１を載置可能とする台座部２４と、台座部２４の上面２４ａから垂直方向上方に延びて円柱部２２を支持する支柱部２５とを備えている。この円柱部２２の周面には、軸方向に延びる突起２３が周方向全域に亘って等間隔をおいて１２個形成されている。台座部２４の底面２４ｂには、商品表示具１を設置させる設置対象物に台座部２４を貼着可能な貼着手段２６が設けられている。貼着手段２６は、例えば、粘着シール、マグネット及び吸盤などの周知の貼着手段を用いることができる。支柱部２５は、保持部材１０のベース部１２の上端１２ｃから下端１２ｄまでの長さ以下、好ましくは３分の２程度、さらに好ましくは２分の１程度の長さに形成されている。
【００２０】
本実施形態に係る商品表示具１は、保持部材１０の一対の挟持片１８ａ、１８ｂによって支持部材２０の円柱部２２を挟持させることにより構成される。保持部材１０は、円柱状に形成された支持部材２０の円柱部２２を一対の挟持片１８ａ、１８ｂによって挟持し、かつ支持部材２０の円柱部２２の突起２３、２３の谷部分に保持部材１０の一対の挟持片１８ａ、１８ｂの突起１９、１９が挿着されていることにより、円柱部２２を中心としてほぼ３６０度回動可能かつ所定の位置での停止が可能な状態で、支持部材２０に支持されている。
【００２１】
支持部材２０の円柱部２２を中心とした保持部材１０の回動は、保持部材１０の一対の挟持片１８ａ、１８ｂの突起１９、１９が支持部材２０の円柱部２２の突起２３、２３の斜面に沿って移動する際に、一対の挟持片１８ａ、１８ｂが外側に弾性変形し、一対の挟持片１８ａ、１８ｂの突起１９、１９が隣接する突起２３、２３の間の谷部に移動した際に再度挿着されて元の挟持状態に復帰することにより、多段階的に行なわれる。また、この保持部材１０の回動は、支持部材２０の円柱部２２の突起２３、２３が周方向に１２個形成されていることにより、例えば図４（ａ）〜（ｃ）に例示的に示すように、３０度毎の１２段階に分けて行なわれる。
【００２２】
図４（ａ）〜（ｃ）は、本実施形態に係る商品表示具１の保持部材１０を回動させた状態を示す段階図であり、図４（ａ）は、支持部材２０の支柱部２２に対する保持部材１０の表面の角度を３０度に傾けた状態を示し、図４（ｂ）は、支持部材２０の支柱部２２に対する保持部材１０の表面の角度を９０度に傾けた状態を示し、図４（ｃ）は、支持部材２０の支柱部２２に対する保持部材１０の表面の角度を３３０度に傾けた状態を示している。このように、商品表示カードを保持する保持部材１０が、支持部材２０の円柱部２２を中心としてほぼ３６０度回動可能であることにより、商品表示カードの表示角度を購入者の視点に合致した最適な表示角度に適宜変更することができると共に、例えば図４（ｃ）に示すように、商品表示カードを背面側に表示させることができることにより、商品の陳列高さや陳列位置による制約や設置箇所の制約などを受けにくく、自由度の高い商品表示具とすることができる。
【００２３】
次に、本実施形態に係る商品表示具１の使用例について、図５を用いて説明する。以下、本実施形態に係る商品表示具１を壁面３に貼着させて使用する使用例について説明するが、これに限定されず、様々な場所に貼着させて使用することができる。図５（ａ）は、本実施形態に係る商品表示具１を壁面３に貼着し、上側保持部１４とベース部１２の表面１２ａとの間に商品表示カード２を挟持させた状態を示す説明図であり、図５（ｂ）は、本実施形態に係る商品表示具１を壁面３に貼着し、下側保持部１６とベース部１２の表面１２ａとの間に商品表示カード２を挟持させた状態を示す説明図である。
本実施形態に係る商品表示具１は、支持部材２０の台座部２４に設けられた貼着手段２６により、例えば壁面３に貼着されて使用される。保持部材１０の上側保持部１４により商品表示カード２の上端近傍２ａを挟持して表示する場合には、図５（ａ）に示すように、商品表示カード２を相対的に低い位置において表示することができる。また、保持部材１０の下側保持部１６により商品表示カード２の下端近傍２ｂを挟持して表示する場合には、図５（ｂ）に示すように、商品表示カード２を相対的に高い位置において表示することができる。さらに、保持部材１０を支持部材２０の円柱部２２を中心として回動させることにより、商品表示カード２の表示角度を購入者の視点に合致した最適な表示角度に適宜変更することができる。
【００２４】
このように、本実施形態に係る商品表示具１によれば、商品表示カード２を保持させる保持部１４、１６を適宜選択するだけで、商品表示カード２の表示高さを変更することができるため、簡単な操作で商品表示カード２の高さ変更を行なうことができる。また、本実施形態に係る商品表示具１は、保持部材１０と支持部材２０により構成されており、部品点数が少ないため、小型化及び低コスト化を図ることができる。さらに、商品表示具を小型化することによって、商品表示カード２と比較して商品表示具１を目立たなくすることができるため、意匠性に優れた商品表示具とすることができる。
【００２５】
本発明に係る商品表示具は、上述した実施形態に限定されるものではなく、本発明の技術思想を逸脱しない範囲内において種々の改変を行なうことができる。例えば、本実施形態に係る商品表示具１において、支持部材２０は、長方形の板状に形成され、商品表示具１を載置可能とする台座部２４を備えるとしたが、これに限定されず、台座部２４は、例えば図６に示すような、商品を載置可能な大きさからなる台座を有するスタンド２４´や、例えば図７に示すような、設置対象物４を挟持することにより商品表示具を設置可能とするクリップ２４´´などの周知のものを用いることができる。また、本実施形態に係る商品表示具１においては、支持部材２０の支柱部２５が、保持部材１０のベース部１２の上端１２ｃから下端１２ｄまでの長さ以下、好ましくは３分の２程度、さらに好ましくは２分の１程度の長さに形成されることにより、商品表示具１を壁面３に使用することが可能であるが、これに限定されず、例えば図６及び図７に示すように、支持部材２０の支柱部２５´、２５´´は、保持部材１０のベース部１２の上端１２ｃから下端１２ｄまでの長さよりも長く形成されていても良い。
【００２６】
また、本実施形態に係る商品表示具１において、上側保持部１４及び下側保持部１６は、ベース部１２の上端１２ｃ及び下端１２ｄから表面１２ａ側に折り曲がることによって形成され、ベース部１２の表面１２ａとの間にそれぞれ商品表示カードを挟持可能に構成されているとしたが、これに限定されず、上側保持部は、ベース部の上端又はその近傍において商品表示カードを保持可能に構成され、下側保持部は、ベース部の下端又はその近傍において商品表示カードを保持可能に構成されていれば良く、この場合、ベース部の上端又はその近傍及びベース部の下端又はその近傍に例えば両面テープやクリップなどが設けられることにより、商品表示カードを保持する構成とすることができる。
【００２７】
また、本実施形態に係る商品表示具１において、支持部材２０は、保持部材１０をその裏面側で回動自在に支持するとしたが、これに限定されず、例えば側面側など、表面側以外で回動自在に支持する構成であれば良い。
【００２８】
また、本実施形態に係る商品表示具１において、保持部材１０が一対の挟持片１８ａ、１８ｂを備え、支持部材２０が円柱部２２を備えるとしたが、これに限定されず、保持部材１０が円柱状の円柱部を備え、支持部材２０が一対の挟持片を備えるとしても良い。また、本実施形態に係る商品表示具１において、保持部材１０の一対の挟持片１８ａ、１８ｂは、２組設けられるとしたが、これに限定されず、１組又は３組以上設けても良い。
【００２９】
さらに、本実施形態に係る商品表示具１において、支持部材２０の円柱部２２の周面には、軸方向に延びる突起２３が周方向全域に亘って等間隔をおいて１２個形成されているとしたが、これに限定されず、支持部材２０の円柱部２２の周面に形成される突起２３は、所定の回動範囲に所定の数のみ形成されているとしても良いし、形成されなくても良い。また、支持部材２０の円柱部２２の周面に突起２３が形成されない場合には、保持部材１０の一対の挟持片１８ａ、１８ｂの突起１９、１９は、形成されなくても良い。
【００３０】
またさらに、本実施形態に係る商品表示具１において、支持部材２０の台座部２４の底面２４ｂには、商品表示具１を設置させる設置対象物に台座部２４を貼着可能な貼着手段２６が設けられているとしたが、これに限定されず、貼着手段２６を設けない構成としても良いし、例えば滑り止めシールなどを設ける構成としても良い。
【符号の説明】
【００３１】
１  商品表示具、１０  保持部材、１２  ベース部、１４  上側保持部、１６  下側保持部、２０  支持部材、２２  円柱部、２４  台座部
【図１】
0005477742.tif 000002
【図２】
0005477742.tif 000003
【図３】
0005477742.tif 000004
【図４】
0005477742.tif 000005
【図５】
0005477742.tif 000006
【図６】
0005477742.tif 000007
【図７】
0005477742.tif 000008